(57)【要約】      （修正有）【課題】安価コンパクトであって、旗竿及びパウチのどちらでも保持し、または同時にも保持できる保持具を提供する。【解決手段】旗竿の端部を差し込んで旗竿を保持するシャフト保持部と、シート状の表示物を保持する表示物挟持部とを有する保持具において、シャフト保持部は一ヶ所以上の対向する挟持半円面２を配した一対の保持片１からなる保持部材であって、表示物挟持部はシャフト保持部を組み込むケース部と、一ヶ所以上の表示物挟持片１２とから成る。【選択図】図４
2008145466.tif 000002
【特許請求の範囲】
【請求項１】
旗竿の端部を差し込んで旗竿を保持するシャフト保持部と、シート状の表示物を保持する表示物挟持部とを有する保持具において、シャフト保持部は一ヶ所以上の対向する挟持半円面を配した一対の保持片からなる保持部材であって、表示物挟持部はシャフト保持部を組み込むケース部と、一ヶ所以上の表示物挟持片を配してなる事を特徴とする保持具。
【請求項２】
前記挟持半円面にスリットと突起を配し、成形材料の弾性変形によるシャフトのガタを押さえる機能を持つことを特徴とする請求項１に記載の保持具。
【請求項３】
前記シャフト保持部と該ケース部が、着脱自在に系合する係合部を持つことを特徴とする請求項１、請求項２に記載の保持具。
【請求項４】
前記保持具を壁面または水平面に固定する為に、看板挟持部材にネジ固定部または粘着シート貼付け面を有することを特徴とする請求項１、請求項２、または請求項３に記載の保持具。
【請求項５】
前記保持具の主たる材料が、ポリ乳酸などの生分解性材料にて形成されたことを特徴とする請求項１から請求項４のいずれか１項に記載の保持具。
【発明の詳細な説明】
【技術分野】
【０００１】
本発明は、多数のパチンコ台を設置している遊技場の店内、あるいは各種商品を販売する商店などにおいて、宣伝広告などの表示用として使用される幟や旗や、シート状の表示物の保持具に関するものである。
【背景技術】
【０００２】
従来、パチンコ店などの遊技場において、新機種のパチンコ台の宣伝広告やパチンコ店の行っているキャンペーンを表示するために、幟や旗、あるいは印刷紙を両面からプラスチックシートで挟んだパウチが設けられている。また、商店などにおいても、商品の宣伝文句やサービス等を記載した幟や旗、あるいはパウチが採用されている。
【０００３】
現状では幟や旗を掲げる場合は、竿の保持具を使用し、パウチを設置する場合はパウチ用の保持具を使用している。また、竿の径も数種類有り、保持具もこれに合わせるか、または大きな径を持ち、ガタ付いた状態で竿を保持していた。このため店舗では、幟や旗用の旗竿の保持具と、パウチ用の保持具を別々に使用し、設置場所の確保、二種類の保持具の確保が必要であった。
【０００４】
また、幟の交換性を高める方法として、幟（特開２００６−１１９１６１号公報）が提案されている。
【特許文献１】特開２００６−１１９１６１号
【発明の開示】
【発明が解決しようとする課題】
【０００５】
本発明は安価コンパクトでありながら、旗竿及びパウチのどちらでも保持し、または同時にも保持できる保持具を提供することにある。
【課題を解決するための手段】
【０００６】
上記目的を達成するため本発明の保持具は、コンパクトでありながら旗竿保持部とパウチ保持部の双方を設けたことを最も主要な特徴とする。
【発明の効果】
【０００７】
本発明の保持具は、幟や旗あるいはパウチによる宣伝広告や商品のキャンペーン表示などの表示物を、保持する保持具において、コンパクトでありながら幟や旗の旗竿またはパウチの双方を保持することができる保持具を提供できる。
【発明を実施するための最良の形態】
【０００８】
シャフト保持部は表示物挟持部のケース部に対し、着脱自在とし、旗竿の径に合わせたシャフト保持部を使用し、シャフト保持部には０度、３０度、４５度、６０度、９０度と角度をかえて保持する保持片を配し、表示物挟持部にはケース部両面に二ヶ所の表示物挟持片を配し、材料は植物由来のポリ乳酸系の地球に優しい樹脂を使用し、廃棄性も向上した保持具であることが望ましい。
【実施例１】
【０００９】
本発明の実施形態について詳しく説明する。図１は、本発明の保持具におけるシャフト保持部の保持片Ｒの斜視図である。１は保持片Ｒを示し、２は挟持半円面、３はスリット、４は突起、５は爪部、６は位置出し凸部、７は位置出し凹部である。
【００１０】
図２は、保持片Ｒ、保持片Ｌを組み合わせた状態の斜視図である。８は保持片Ｌを示し、９はレール凸部である。保持片Ｌ８と保持片Ｒ１は、位置出し凸部６および位置出し凹部７以外は面対象形状であって、保持片Ｌ８と保持片Ｒ１を位置出し凸部６および位置出し凹部７によって位置出しを行い、一対の保持部材としている。
【００１１】
図２では、対象とする旗竿の径を直径５ｍｍから７ｍｍと設定し、挟持半円面２を０度、３０度、４５度、６０度、９０度の位置に備え旗竿を五つのポジションで保持できるようにしている。ただし、設定する旗竿径、角度ポジションはこれに限定する物ではない。また、旗竿は幟用、旗用を区別しない。
【００１２】
図３は、表示物挟持部の斜視図である。１１はケース部を示し、１２は表示物挟持片、１３は凸部部、１４は凹部、１５は係合部、１６はビス受け部、１７はケース背面部、１８はレール凹部である。図３ではケース部１１の両側に表示物挟持片１２を配している。ビス受け部１６は、部材の上下端に配し、表示物挟持部をビスにより壁面などに取り付け可能にしている。また、ケース背面部１７の裏面に粘着テープ、あるいはボンドなどを使用し壁面などに固定する場合もある。
【００１３】
図４は、図３の表示物挟持部に図２のシャフト保持部を組み付けた状態を示す斜視図である。さらに図５は、図４状態の上面図である。この時、レール凸部９をレール凹部１８に滑らすようにして表示物挟持部にシャフト保持部を組み込んでいる。
【００１４】
図６は、図４状態の爪部を示した断面図である。レール部をスライドさせて組み込まれたシャフト保持部は、ケース部１１の両側の壁面に配した係合部１５と、保持片１及び保持片８に配した爪部５が着脱自在に係合し固定される。
【００１５】
図７は、図４に対し、パウチ及び旗を同時に取り付けた状態を示した斜視図である。２１はパウチを示し、２２は旗、２３は旗竿を示している。
【００１６】
図７の状態において、パウチの保持は、部品段階においてケース部１１の両側の壁面外側には凹部１４と、凸部１５との隙間をほとんど無くなるくらいにする事により、パウチを差し込んだとき、表示物挟持片１２弾性によりパウチに側圧を与え、よってパウチが脱落しないようにしている。
【００１７】
また、旗竿の保持は、シャフト保持部の保持片Ｒ１及び保持片Ｌ８に配された挟持半円面２によって作られた穴に差し込み保持させる。さらに、スリット３に挟まれた突起４は材料の弾性変形によって旗竿に対し側圧を与え、ガタツキを抑える効果がある。
【００１８】
図８は、図４に対し、２本の旗竿保持位置を持つシャフト保持部材に差し替えた状態を示した斜視図である。３１は保持片Ｒ太径を示し、３２は挟持半円面太径、３３は保持片Ｌ太径である。
【００１９】
また図８では、対象とする旗竿の径を直径９ｍｍから１２ｍｍと設定し、挟持半円面３２を４５度、６０度の位置に備え、旗竿を二つのポジションで保持できるようにしている。
【００２０】
ここで説明した保持具はプラスチック材料を射出成形して得るが、成形材料にポリ乳酸系の生分解性材料を使用する事により、保持具の廃棄時地球にやさしい製品とすることができる。
【産業上の利用可能性】
【００２１】
本発明の保持具は、多数のパチンコ台を設置している遊技場の店内、あるいは各種商品を販売する商店などにおける宣伝広告などの表示用として使用される幟や旗や、パウチなどのシート状の表示物の保持具において、旗竿の保持具とパウチの保持具を一体にする事によって、コンパクトでありながら幟や旗の旗竿とパウチのどちらでも保持し、または同時にも保持できる保持具として利用できる。
【図面の簡単な説明】
【００２２】
【図１】本発明の保持具におけるシャフト保持部の保持片Ｒの斜視図である。
【図２】保持片Ｒ、保持片Ｌを組み合わせた状態の斜視図である。
【図３】表示物挟持部の斜視図である。
【図４】図３の表示物挟持部に図２のシャフト保持部を組み付けた状態を示す斜視図である。
【図５】図４状態の上面図である。
【図６】図４状態の爪部を示した断面図である。
【図７】図４に対し、パウチ及び旗を同時に取り付けた状態を示した斜視図である。
【図８】図４に対し、２本の旗竿保持位置を持つシャフト保持部材に差し替えた状態を示した斜視図である。
【符号の説明】
【００２３】
１    保持片Ｒ
２    挟持半円面
３    スリット
４    突起
５    爪部
６    位置出し凸部
７    位置出し凹部
８    保持片Ｌ
９    レール凸部
１１  ケース部
１２  表示物挟持片
１３  凸部部
１４  凹部
１５  係合部
１６  ビス受け部
１７  ケース背面部
１８  レール凹部
２１  パウチ
２２  旗
２３  旗竿
３１  保持片Ｒ太径
３２  挟持半円面太径
３３  保持片Ｌ太径
【図１】
2008145466.tif 000003
【図２】
2008145466.tif 000004
【図３】
2008145466.tif 000005
【図４】
2008145466.tif 000006
【図５】
2008145466.tif 000007
【図６】
2008145466.tif 000008
【図７】
2008145466.tif 000009
【図８】
2008145466.tif 000010